(57)【要約】【課題】指で毛糸を編んだり、牛乳・酒パック・ティシュ空き箱で指の代替をして編んだりする場合、指あるいは指に準ずる板の表面から糸をつかみ難く、つかんだ糸を指あるいは指に準ずる板の裏側に運ぶのが困難で、作業性に問題があるので、この作業性を改善する。また自由な長さまたは直系の帯状または輪状の編み物が編めるようにする。【解決手段】指の代わりに４本以上のＵ字ピンを用い、そのＵ字ピンを平面状に平行に並べ、かつその自由端を固定片で固定して相互の位置がずれないような、櫛状の治具を作成した。またＵ字部を一方向に曲げることにより、ピンの片側に留まるべき糸がピンを越して裏側に移される糸に引き連れられてピンから滑り落ちるのを防止した。さらに治具に付与した連結穴で複数の治具を上下左右に連結することにより、広幅又は環状の編み物が編めるようにした。【選択図】図１
2004019087.tif 000002
【特許請求の範囲】
【請求項１】
平面状に平行に並べられた４本以上のＵ字形ピンの解放端を固定片で固定した、毛糸指編み代替治具。
【請求項２】
請求項１の請求範囲にあって、Ｕ字形ピンのＵ字部が平面から立ち上がっているか、Ｕ字部に突起を有する、毛糸指編み代替治具。
【発明の詳細な説明】
【０００１】
【発明の属する技術分野】
本発明は、毛糸を指編み方式で編むときに指の代わりになる、代替治具に関するものである。
【０００２】
【従来の技術】
指を用いて毛糸を編む方法は、熟練と特殊な治具を要さないため、古くから採用されてきた。
【０００３】
この指編み法を拡張したものとしては、牛乳・酒パックやティシュの空箱を利用する方法がある（図１３）。さらに、指編みに類似の編み器としては、古くから、リリアンがある。
【０００４】
これらはいずれも、平行に並んだ個々の指・板または針に巻き付いた糸を、さらにその糸と同じ側に新たに配置された糸と絡ませながら編んでいく方法が取られている。
【０００５】
その具体例を図を用いて示す。図７〜１２は、指編みの例である。
【０００６】
第１の工程では、図７のように、糸８が親指１０に端末を止めたられた後、他の指にジグザグに配され、最終端の小指１２を１周してスタートの位置（人差し指１１）に戻される。この時点で各指の裏表に糸が巻き付いたことになる。
【０００７】
第２の工程では、続きの糸は図８のように、手の片面のみに配置される。
【０００８】
第３の工程では、上記状態の、各指にからんでいる方（古い方）の糸８ａが、図９〜１１のように、新しい糸８ｂを越して、指の反対側へ運ばれる。
【０００９】
この動作を親指以外のすべての指について行うと、最初の糸はすべて指の裏側に移動し、新しい糸のみが表に残される。
【００１０】
この状態で、さらに次の糸８ｃを指の表に配置し、親指の止め糸を取り除いたのが図１２である。
【００１１】
以降はこの第２・３の工程の動作を繰り返していくと、手の反対側には、メリヤス状に編まれた糸が、蓄積されていく。
【００１２】
【発明が解決しようとする課題】
かかる方法で毛糸を編む場合、手順は簡単なので初心者に受け入れられやすいが、その反面、糸を指の表面からつまみ出してそれを伸ばして指の先端を越して、指の裏側へ移動させるのに、糸がつまみ難くかつ伸び難いので、作業性に問題がある。
【００１３】
指の代わりに、図１３に示すような牛乳パック１３を用いたときは、指代わりのパック片１４は曲げ難く頻繁に曲げると切れてしまうので、なおさら困難である。リリアン編み器の場合も、糸を細い釘から外すのが難しい。
【００１４】
【課題を解決するための手段】
本発明は、かかる欠点を排除するために、糸を絡ませるための指代りに４本以上のＵ字ピンを、固定片で平行に固定して櫛状にしたものである。
【００１５】
このように、指代りにＵ字ピンを用いると、ピンの間にかぎ針を入れることができるので、容易に目的の糸が取り出せ、かつ裏側へ簡単に運ぶ事ができる。
【００１６】
今ここでさらに改善するために、各ピンのＵ字部を編み糸を配する側に曲げておくかＵ字部分に突起を与えておくと、かぎ針で糸を裏側へ運ぶときに、下側の糸がピンの先端から抜け落ちるのを防止でき、指編み代替が容易にできる。
【００１７】
【発明実施の形態】
本発明の実施形態を実施例に基づき、図を用いて説明する。
【００１８】
図２は本発明による毛糸指編み代替治具の１実施例で、図において、１ａは毛糸を巻き付けるためのピン、２はピン１を固定するための長尺固定片、４は２つ以上の治具を繋ぐための連結用穴である。
【００１９】
図２の治具に対し、指編みと同じように、各ピンにジグザグに糸８ａを絡めた後に、次の糸８ｂを治具の表面に配した状態の１部を示したのが図３である。
【００２０】
この状態で、各ピンに絡んだ糸８ａを、新しく表面に配した糸８ｂと絡めながら、ピンの裏にかぎ針９などで運ぶ動作を繰り返すと、指編みと同等の作業が容易にできる。
【００２１】
図２、３においては、Ｕ字ピンの先端は平坦である。今Ｕ字ピンの先端を図１のように毛糸を導入する側にカギ状に曲げておくと、作業性はさらに改善される。
【００２２】
図４はその１つのピンにおける糸の動きを示す。最初に配置された毛糸８ａをあとで配置された毛糸８ｂを飛び越して裏側に運ぶ場合、後に配置された毛糸８ｂがＵ字ピンの曲がりのために先端から滑り落ちるのが防止できている。
【００２３】
指編みの場合、４本の指しか使えないが、本発明の治具を用いると、任意の目数の編み物ができる。　図１の例では目数は６個までであるが、連結穴４を用い、図５のように治具を繋げていくと目数は無限大に増やせる。
【００２４】
また、図６に示すように、短尺固定片３を用い直角連結板５で上下の長尺固定片２を繋ぐと、自由な大きさの環状編み物ができる。
【００２５】
【発明の効果】
本発明による毛糸指編み代替治具を用いると、毛糸を編むとき、Ｕ字ピンの間にかぎ針を入れて毛糸を取り出すことができるので、作業が容易に行える。またＵ字ピンの先端を曲げるか先端に突起を付けておくと、ピンの表に留まるべき糸がピンの裏側へ移す糸に引っ張られて、ピンから滑り落ちるのを防止できる。
【００２６】
また、本発明による治具は、連結用穴を用いて横に、または上下に繋ぐことができるので、広幅または大きい環状の編み物も編むことができる。
【図面の簡単な説明】
【図１】先端のＵ字部を曲げた、本発明による毛糸指編み代替治具の１例を示す。
【図２】先端のＵ字部を曲げていない、本発明による毛糸指編み代替治具の１例を示す。
【図３】図２の治具を用い、Ｕ字ピンの溝部にかぎ針を入れて裏側に回す糸を取り出す状況を示す。
【図４】図１の治具を用い、Ｕ字ピンの溝部にかぎ針を入れて裏側に回す糸を取り出し裏側に回す時に、下側にある糸が先端を曲げたＵ字部分に遮られて、滑り落ちずに留まっている状況を示す。
【図５】図１の治具を横方向に２個連結させた状態を示す。
【図６】図１の治具２個を短尺の治具で立体的に繋いだ状態で、環状の編み物ができる状況をしめす。
【図７】、
【図８】、
【図９】、
【図１０】、
【図１１】、および
【図１２】従来の指編みの手順の１例を示す。
【図１３】牛乳パックを用いた、指編み代替の例を示す。
【符号の説明】
１ａ　　Ｕ字ピン
１ｂ　　先端曲がりＵ字ピン
２　　　長尺固定片
３　　　短尺固定片
４　　　連結用穴
５　　　平行連結板
６　　　直角連結板
７ａ　　ボルト
７ｂ　　ナット
８、８ａ、８ｂ、８ｃ　　毛糸
９　　　かぎ針
１０　　　親指
１１　　　人差し指
１２　　　小指
１３　　　牛乳パック
１４　　　パック片
【図１】
2004019087.tif 000003
【図２】
2004019087.tif 000004
【図３】
2004019087.tif 000005
【図４】
2004019087.tif 000006
【図５】
2004019087.tif 000007
【図６】
2004019087.tif 000008
【図７】
2004019087.tif 000009
【図８】
2004019087.tif 000010
【図９】
2004019087.tif 000011
【図１０】
2004019087.tif 000012
【図１１】
2004019087.tif 000013
【図１２】
2004019087.tif 000014
【図１３】
2004019087.tif 000015
【手続補正書】
【提出日】平成14年8月19日(2002.8.19)
【手続補正１】
【補正対象書類名】明細書
【補正対象項目名】図面の簡単な説明
【補正方法】変更
【補正の内容】
【図面の簡単な説明】
【図１】先端のＵ字部を曲げた、本発明による毛糸指編み代替治具の１例を示す。
【図２】先端のＵ字部を曲げていない、本発明による毛糸指編み代替治具の１例を示す。
【図３】図２の治具を用い、Ｕ字ピンの溝部にかぎ針を入れて裏側に回す糸を取り出す状況を示す。
【図４】図１の治具を用い、Ｕ字ピンの溝部にかぎ針を入れて裏側に回す糸を取り出し裏側に回す時に、下側にある糸が先端を曲げたＵ字部分に遮られて、滑り落ちずに留まっている状況を示す。
【図５】図１の治具を横方向に２個連結させた状態を示す。
【図６】図１の治具２個を短尺の治具で立体的に繋いだ状態で、環状の編み物ができる状況を示す。
【図７】従来の指編みの手順の１例で、親指に端末を止められた糸が、各指にジグザグに配置された状態を示す。
【図８】従来の指編みの手順の１例で、図７の続きの糸が、手の片面に配置された状態を示す。
【図９】従来の指編みの手順の１例で、図８の人差し指にジグザグ状に配された糸を、別の手でつまみあげた状態を示す。
【図１０】従来の指編みの手順の１例で、図９でつまみあげた糸を人差し指の裏側に移動させる状態を示す。
【図１１】従来の指編みの手順の１例で、図１０に引き続き、中指にジグザグ状に配された糸を別の手でつまみあげ、指の裏側に移動させる状態を示す。
【図１２】従来の指編みの手順の１例で、図１１に引き続き、薬指、小指にジグザグ状に配された糸に対しても、それぞれを各指の裏側へ移動させた後、さらに続きの糸を手の手前に配した状態を示す。
【図１３】牛乳パックを用いた、指編み代替の例を示す。
【符号の説明】
１ａ　　Ｕ字ピン
１ｂ　　先端曲がりＵ字ピン
２　　　長尺固定片
３　　　短尺固定片
４　　　連結用穴
５　　　平行連結板
６　　　直角連結板
７ａ　　ボルト
７ｂ　　ナット
８、８ａ、８ｂ、８ｃ　　毛糸
９　　　かぎ針
１０　　　親指
１１　　　人差し指
１２　　　小指
１３　　　牛乳パック
１４　　　パック片